(57)【要約】【課題】本発明は簡易な構成でありながら、介護人と被介護人が共に安心感を得られ、介護人の負担を軽減し、安定して被介護人を抱き上げ、移動することができる移動用介護帯を提供する。【手段】移動用介護帯（３０）は、マット（３２）の両端に幅広帯（３４Ａ）、（３４Ｂ）を略眼帯形状となるように取りつける。マット（３２）と幅広帯（３４Ａ）、（３４Ｂ）は接合部（３６）で固定する。介護人（１０）は幅広帯（３４Ａ）、（３４Ｂ）を首と片方の肩に架け、被介護人（２０）を抱き上げ移動する。【選択図】図２
2005288103.tif 000002
【特許請求の範囲】
【請求項１】
介護人が被介護人を抱き上げ、移動する時に利用する移動用介護帯であって、被介護人の背中、腰部、臀部を覆うマット；該マットの両端に略眼帯形状となるように取り付けられており、介護人の首、肩に架ける幅広帯；前記マットと該幅広帯の接合部；を備えたことを特徴とする移動用介護帯。
【請求項２】
前記マット及び前記幅広帯が、接合部で縫合されていることを特徴とする請求項１記載の移動用介護帯。
【請求項３】
前記マットの長辺が背中、腰部、臀部を結ぶ方向、短辺が長辺と直交する方向の四角形であることを特徴とする請求項１〜２のいずれかに記載の移動用介護帯。
【請求項４】
前記接合部が前記マットの短辺側の端部に沿って設けられていることを特徴とする請求項１〜３のいずれかに記載の移動用介護帯。
【請求項５】
前記マットの長辺が６０〜１００ｃｍ、短辺が４０〜８０ｃｍであることを特徴とする請求項１〜４のいずれかに記載の移動用介護帯。
【請求項６】
前記幅広帯の幅が５〜２０ｃｍであることを特徴とする請求項１〜５のいずれかに記載の移動用介護帯。
【発明の詳細な説明】
【発明の詳細な説明】
【技術分野】
【０００１】  この発明は、介護人が被介護人を抱き上げ、ベッドや車椅子等へ安全に移動する移動用介護帯であって、介護人の負担を軽減し、被介護人が安心感を持って移動できる移動用介護帯に関するものである。
【背景技術】
【０００２】  従来、お年寄りや身体の不自由な人を、ベッドなどから他のベッドや車椅子等へ移動する際は、介護人の手で抱き上げられて移動している。
また最近は、介護人が被介護人を抱き起こす時に利用するリリーフベルトであって、介護人、被介護人双方が安定感を得られ、介護人に体力がない場合も利用できる、所定幅をもったサポート帯と懸吊ベルトを略Ｔ字形状になるように組合わせたリリーフベルトが知られている（特許文献１参照）。【０００３】
【特許文献１】  特許公開第２００２−１０２２８８号公報
【発明が解決しようとする課題】
【０００４】  被介護人を手で抱き上げて移動するとき、次のような問題点があった。
介護人は被介護人の体重を支えるために相当の重量を手に受けながら移動しなくてはならず、多大な労力を要する。
また、移動時はつまずき等により、被介護人を落下させる危険性もあるため、被介護人は危険を感じて、不安感を持つことになる。
特許文献１は、サポート帯により被介護人の腰部、臀部、下腹部を覆い、懸吊ベルトを介護人の首から肩へ通して被介護人を抱き起こすものであって、ベッド上での抱き起こしは可能なものの、被介護人を抱き上げ、他のベッドや車椅子等へ移動するには適さないものである。
本発明は、以上の問題点を解決し、被介護人を安全に抱き上げ、移動するようになされた移動用介護帯である。
【課題を解決するための手段】
【０００５】  移動用介護帯（３０）は、所定幅をもったマット（３２）、マット（３２）の両端に略眼帯形状となるように取り付けられた幅広帯（３４Ａ）、（３４Ｂ）、及びマット（３２）と幅広帯（３４Ａ）、（３４Ｂ）の接合部（３６）により構成されている。マット（３２）と幅広帯（３４Ａ）、（３４Ｂ）は、タオル地、ポリエチレン地等、被介護人（２０）を支える強度を有し、肌触りの良い素材を使用する。
マットの形状は四角形を基本とする。マットの大きさは被介護人の背中、腰部、臀部を結ぶ方向を長辺として６０〜１００ｃｍ、直交する方向を短辺として４０〜８０ｃｍの長さが好適である。幅広帯の幅は５〜２０ｃｍが使用に適する。マット（３２）と幅広帯（３４Ａ）、（３４Ｂ）は、接合部（３６）で縫合し固定する。接合部（３６）は、マット（３２）の短辺側の端部（４０）に沿って幅広帯（３４Ａ）、（３４Ｂ）の幅に応じて縫合する。縫合することによって移動用介護帯（３０）は被介護人（２０）の身体と密着し、介護人（１０）が抱き上げた時もずれが生じず、移動に際して安定感が増す。接合部を短辺側の端部（４０）に設けるため、被介護人（２０）の身体は２箇所の接合部（３６）の上に直交する方向で置かれることとなり、被介護人（２０）の体重による接合部（３６）への負担が緩和される。
本発明は、以上の構成よりなる移動用介護帯である。
【発明を実施するための最良の形態】
【０００６】  以下、本発明の実施の形態を説明する。
（イ）介護人（１０）はマット（３２）をベッドなどの中央に置き、マット（２０）の長辺方向（矢印Ｙ−Ｙ′方向）に沿って被介護人（２０）の背中、腰部、臀部を載せる。
（ロ）被介護人（２０）が仰向けに寝た状態でも、下半身を少し上げる等により、ベッドなどとの間に若干の隙間をつくればマット（３２）を身体の下にくぐらせることができる。
（ハ）次に、介護人（１０）は幅広帯（３４Ａ）、（３４Ｂ）を上方に折り曲げ、幅広帯が作る輪（３８Ａ）、（３８Ｂ）に首と片腕を通す。介護人（１０）は幅広帯（３４Ａ）、（３４Ｂ）を首と片方の肩に架けた状態で被介護人（２０）を抱き上げる。
（ニ）被介護人（２０）に密着するのは背中から臀部にかけてのマット（３２）のみであり、また介護人（１０）は２本の幅広帯（３４Ａ）、（３４Ｂ）が首と片方の肩に懸かることによって、両手は自由となる。
（ホ）マット（３２）と幅広帯（３４Ａ）、（３４Ｂ）は介護人（１０）、被介護人（２０）の体型によって長さ、幅を適宜調整する。
（ヘ）一般的な体型の被介護人の移動においては、マット（３２）は長辺が６０〜１００ｃｍ、短辺が４０〜８０ｃｍの四角形、幅広帯（３４Ａ）、（３４Ｂ）は幅５〜２０ｃｍのものが利用しやすい。
（ト）次に図１、図２を参照しながら本実施形態の作用を説明する。図１は本発明の斜視図である。マット（３２）の長辺は８０ｃｍ、短辺は６０ｃｍである。背中、腰部、臀部を結ぶ方向を長辺とし、直交する方向を短辺とする。長辺方向が身体を曲線で包むため、移動時の安定感が増すこととなる。
（チ）図１の幅広帯の幅（３４Ａ）、（３４Ｂ）は１０ｃｍである。鋭意検討の結果、幅（３４Ａ）、（３４Ｂ）は１０〜１５ｃｍが介護人（１０）にとって最も負担が少なく好適である。
（リ）図２は本発明の使用図である。介護人（１０）は前方を向いて、一方の腕で被介護人（２０）の背中を、他方の腕で被介護人（２０）の両足を抱える。この時、幅広帯（３４Ａ）、（３４Ｂ）はひとつにまとまって、介護人（１０）の一方の肩から他方の脇下を通っている。
本発明は以上の構成よりなる。
本発明を使用する場合は、ベッドや車椅子等への移動後、幅広帯（３４Ａ）、（３４Ｂ）、続いてマット（３２）の順に被介護者（２０）の身体から着脱する。
なお、移動用介護帯（３０）は被介護人（２０）の背中に敷いても負担となる素材ではないため、移動後のベッド等の上で、そのまま使用しても構わない。移動用介護帯（３０）は折りたたむことができ携帯性にも優れている。
【発明の効果】
【０００７】  本発明を使用することにより、被介護人を抱き上げる時、介護人は手に受ける重さを肩と首に分散させ、容易に抱き上げることができる。また、他のベッドや車椅子等への移動に当たっては、手を離しても被介護人を落下させることがなくなり、安心して移動できる。一方、被介護人は移動時の不安感を持つことなく、リラックスして搬送される。
【図面の簡単な説明】
【図１】  本発明の斜視図
【図２】  本発明の使用図
【符号の説明】
（１０）介護人、（２０）被介護人、（３０）移動用介護帯、
（３２）マット、（３４Ａ）（３４Ｂ）幅広帯、（３６）接合部、
（３８Ａ）（３８Ｂ）幅広帯の作る輪、（４０）マットの短辺側の端部
（Ｙ−Ｙ′）被介護人の身体の方向
【図１】
2005288103.tif 000003
【図２】
2005288103.tif 000004